(57)【要約】      （修正有）【課題】被施術者が火傷することのない安全性の高い痩身用ラジオ波温熱機のハンドピース及び電極プレート並びに痩身用ラジオ波温熱機を提供する。【解決手段】痩身用ラジオ波温熱機に用いられるハンドピースは、（１）ラジオ波の電流を流すエレクトロード１４と、エレクトロード１４の反対面側に取り付けられるプッシュスイッチ１５と、当該プッシュスイッチ１５やコネクタを介してエレクトロード１４と痩身用ラジオ波温熱機とを導通可能に接続する導線１７とを備えたハンドピース本体１１と、（２）反対面側であって、プッシュスイッチ１５の上部周囲に配置される弾性部材１２と、（３）プッシュスイッチ１５を弾性部材１２を介して覆った状態で、プッシュスイッチ１５に連結され、プッシュスイッチ１５のオンオフを操作するためのオンオフ操作部材１３とを備える。【選択図】図２
2010110394.tif 000002
【特許請求の範囲】
【請求項１】
ラジオ波の電流を流すエレクトロードと、前記エレクトロードの端面の反対面側に取り付けられるプッシュスイッチと、前記プッシュスイッチやコネクタを介して前記エレクトロードと痩身用ラジオ波温熱機とを導通可能に接続する導線とを備えたハンドピース本体と、
前記反対面側であって、前記プッシュスイッチの上部周囲に配置される弾性部材と、
前記プッシュスイッチを前記弾性部材を介して覆った状態で、当該プッシュスイッチに連結され、当該プッシュスイッチのオンオフを操作するためのオンオフ操作手段と、を備えたことを特徴とする痩身用ラジオ波温熱機に用いられるハンドピース。
【請求項２】
前記弾性部材の上端が、前記プッシュスイッチの上端よりも高いことを特徴とする請求項１に記載の痩身用ラジオ波温熱機に用いられるハンドピース。
【請求項３】
前記オンオフ操作手段は、前記ハンドピース本体を囲繞する有底円筒部からなることを特徴とする請求項１又は２に記載の痩身用ラジオ波温熱機に用いられるハンドピース。
【請求項４】
ラジオ波の電流が流れるプレートと、前記プレートに取り付けられるプッシュスイッチと、前記プッシュスイッチやコネクタを介して前記プレートと痩身用ラジオ波温熱機とを導通可能に接続する導線とを備えた電極プレート接続筐体と、
前記プッシュスイッチの上部周囲に配置される弾性部材と、
前記プッシュスイッチを前記弾性部材を介して覆った状態で、当該プッシュスイッチに連結され、当該プッシュスイッチのオンオフを操作するためのオンオフ操作手段と、を備えたことを特徴とする痩身用ラジオ波温熱機に用いられる電極プレート。
【請求項５】
前記弾性部材の上端が、前記プッシュスイッチの上端よりも高いことを特徴とする請求項４に記載の痩身用ラジオ波温熱機に用いられる電極プレート。
【請求項６】
請求項１から２のいずれかに記載のハンドピース及び／又は請求項４から５のいずれかに記載の電極プレートを備えた痩身用ラジオ波温熱機であって、請求項１から５に記載のプッシュスイッチのオンオフが当該痩身用ラジオ波温熱機の本体の運転状態に影響を与えないことを特徴とする痩身用ラジオ波温熱機。
【発明の詳細な説明】
【技術分野】
【０００１】
本発明は、痩身用ラジオ波温熱機に用いられるハンドピース及び電極プレート並びに痩身用ラジオ波温熱機に関し、更に詳しくは、美容サロンにおける痩身施術の安全性を高める技術に関する。
【背景技術】
【０００２】
痩身用ラジオ波温熱機は、ラジオ波の電流を被施術者の体内に流すことにより皮膚組織内部の水分子を振動させ、体内温度を上昇させ、脂肪を燃焼させる装置である。その一例が非特許文献１〜３に開示されている。
【０００３】
それらのうち、非特許文献１に記載の痩身用ラジオ波温熱機は、電波照射方式の装置であり、高い周波数のラジオ波によって、気になる部分を加熱し、たるんだ肌に張りを与え、同時に引き締めを行なうことができる装置である。非特許文献１の痩身用ラジオ波温熱機は、ハンドピース先端の電極（以下単に「エレクトロード」という。非特許文献１の図のハンドピースの先端部分を参照されたい。）を施術部位に密着させてから、ハンドピースのスイッチ（非特許文献１の図を参照されたい。）をオンすると、放射状にラジオ波照射を開始する。そして、ラジオ波照射を終了するときは、エレクトロードを施術部位から外してからそのハンドピースのスイッチがオフされる。
従って、非特許文献１の痩身用ラジオ波温熱機を用いた痩身施術中は、エレクトロードが施術部位（腹部や胸部等）に密着された状態である。
【０００４】
また、非特許文献２〜３に開示の痩身用ラジオ波温熱機は、非特許文献１のものに比べると比較的低い周波数のラジオ波によって、気になる部分を加熱し、たるんだ肌に張りを与え、同時に引き締めを行うことができる装置である。非特許文献２〜３のラジオ波発生装置は、マイナス電極板である長方形状の電極プレート（以下単に、「電極プレート」という。非特許文献２の写真の施術者が左手に持っているプレートを参照されたい。）を施術部位（腰部や胸部）に密着させる一方で、ハンドピース先端のプラス電極端子である膨出形状のエレクトロード（非特許文献２の写真の施術者が右手に持っているハンドピースを参照されたい。）を施術部位（腹部や胸部）に密着させて使用するものである。
【０００５】
すなわち、非特許文献１〜３の痩身用ラジオ波温熱機は、電極プレートやエレクトロードを被施術者の皮膚に密着させた状態でスタートボタンを押し、ダイヤル操作をする等して、高周波出力レベルをゼロから上げていくと、ラジオ波の電流を施術部位（腹部や胸部）の皮膚組織内部に流すことができる。
皮膚組織内部に流れるラジオ波の電流は、人体を通過する際に振動し、熱を発生させる（深部温熱）。そして、これにより、被施術者の皮膚組織内部の水分（その他、血液、筋肉等）が、ラジオ波の電流が変化する方向に運動し、それらの分子どうしが互いに摩擦しあい温まる。人体を構成する脂肪は、これに伴って温まり、次第に液状化する。液状化した脂肪は、ハンドマッサージによってリンパ節へ導かれ体外へ排出され、痩身効果が得られる。
【０００６】
一方、施術を終了させるには、非特許文献１の痩身用ラジオ波温熱機の場合には、ハンドピースのスイッチをオフしてから、エレクトロードを施術部位から外すことが必要である。また、非特許文献２〜３の痩身用ラジオ波温熱機の場合には、ダイヤル操作やボタン操作をする等して、高周波出力レベルをゼロにして、ラジオ波電流を停止させた上で、ハンドピースのエレクトロードを施術部位から外し、それから、電極プレートを施術部位から外す必要がある。
非特許文献１〜３に記載の痩身用ラジオ波温熱機は、以上の使い方をすることによって、脂肪を溶かし、痩身効果を実現させる装置である。
【０００７】
【非特許文献１】http://www.ritsubi.co.jp/brands/machine/machine_thermo.html
【非特許文献２】http://www.laserapis.com/menu/02.html
【非特許文献３】http://www.sokusin.net/product/201
【発明の開示】
【発明が解決しようとする課題】
【０００８】
しかしながら、非特許文献１の痩身用ラジオ波温熱機では、痩身施術中に被施術者が不意に動く等すると、腹部や胸等の施術部位に密着させているエレクトロードがそこから外れ、その先端の電極が外れる瞬間に密着していた腹部や胸部を火傷させるという問題がある。極めて短時間での現象ではあるが、エレクトロードは、腹部や胸部の皮膚との接触面積を徐々に減少させながら離れ、それにともない、ラジオ波の電流の電気エネルギーがその徐々に狭くなる接触部位に集中し、エレクトロードが腹部や胸部の皮膚から離れる瞬間では、その電気エネルギーが接触部位の皮膚の一点に集中するからである。
従って、ラジオ波による痩身施術中に被施術者が突然動いてエレクトロードが腹部や胸から外れても、被施術者がやけどをしない安全性の高いハンドピースが必要とされていた。
【０００９】
また、非特許文献２〜３の痩身用ラジオ波温熱機では、痩身施術中に被施術者が不意に動く等すると、電極プレートが被施術者の腰部や背中から外れて、電極プレートが外れる瞬間に密着していた腰部や背中の部位を火傷させるという問題がある。極めて短時間での現象ではあるが、電極プレートは、腰部や背中の皮膚との接触面積を徐々に減少させながら離れ、それにともない、ラジオ波の電流の電気エネルギーがその徐々に狭くなる接触部位に集中し、電極プレートが腰部や背中の皮膚から離れる瞬間では、その電気エネルギーが接触部位の皮膚の一点に集中するからである。
従って、ラジオ波による痩身施術中に被施術者が突然動いて電極プレートが腰部や背中から外れても、被施術者がやけどをしない安全性の高い電極プレートが必要とされていた。
【００１０】
上記問題点は、施術開始前においても同様である。すなわち、エレクトロードや電極プレートを施術部位に密着させない状態で、ハンドピースのスイッチをオンしてから、あるいは、高周波スイッチのレベルを上げてしまってから、エレクトロードや電極プレートを施術部位に密着させると、それらを施術部位の皮膚に接触させた瞬間は、ラジオ波の電流の電気エネルギーがその皮膚の一点に集中し、火傷に至る。
【００１１】
本発明は上記事情に鑑みてなされたものであり、被施術者が火傷することのない安全性の高い痩身用ラジオ波温熱機のハンドピース及び電極プレート並びに痩身用ラジオ波温熱機を提供することにある。
【課題を解決するための手段】
【００１２】
上記課題を解決するために、本発明に係る痩身用ラジオ波温熱機のハンドピースは、
ラジオ波の電流を流すエレクトロードと、前記エレクトロードの端面の反対面側に取り付けられるプッシュスイッチと、前記プッシュスイッチやコネクタを介して前記エレクトロードと痩身用ラジオ波温熱機とを導通可能に接続する導線とを備えたハンドピース本体と、
前記反対面側であって、前記プッシュスイッチの上部周囲に配置される弾性部材と、
前記プッシュスイッチを前記弾性部材を介して覆った状態で、当該プッシュスイッチに連結され、当該プッシュスイッチのオンオフを操作するためのオンオフ操作手段と、を備えたことを要旨とする。
この場合に、前記弾性部材の上端が、前記プッシュスイッチの上端よりも高いことが望ましい。また、前記オンオフ操作手段は、前記ハンドピース本体を囲繞する有底円筒部からなることが望ましい。
【００１３】
上記課題を解決するために、本発明に係る痩身用ラジオ波温熱機の電極プレートは、
ラジオ波の電流が流れるプレートと、前記プレートに取り付けられるプッシュスイッチと、前記プッシュスイッチやコネクタを介して前記プレートと痩身用ラジオ波温熱機とを導通可能に接続する導線とを備えた電極プレート接続筐体と、
前記プッシュスイッチの上部周囲に配置される弾性部材と、
前記プッシュスイッチを前記弾性部材を介して覆った状態で、当該プッシュスイッチに連結され、当該プッシュスイッチのオンオフを操作するためのオンオフ操作手段と、を備えたことを要旨とする。
この場合に、前記弾性部材の上端が、前記プッシュスイッチの上端よりも高いことが望ましい。
【００１４】
本発明に係る痩身用ラジオ波温熱機は、本発明に係るハンドピース及び／又は電極プレートを備えた痩身用ラジオ波温熱機であって、前記プッシュスイッチのオンオフが当該痩身用ラジオ波温熱機の本体の運転状態に影響を与えないことを要旨とする。
【発明の効果】
【００１５】
上記構成を備えた痩身用ラジオ波温熱機に用いられるハンドピースは、オンオフ操作手段がプッシュスイッチを弾性部材を介して覆った状態でプッシュスイッチに連結されているため、高周波出力レベルが上がっている痩身施術中に被施術者が不意に動く等により、施術部位からエレクトロードが外れるときであっても、被施術者を火傷させない。施術部位からエレクトロードが外れるときは、エレクトロードが全面にわたって施術部位に密着した状態で、弾性部材の伸張によるプッシュスイッチのオフ方向への付勢力により、オンオフ操作手段が押し上がり、プッシュスイッチがオフされ、その後で、施術部位からエレクトロードが外れるからである。
そのため、施術部位からエレクトロードが外れる瞬間では、既にラジオ波の電流が流れておらず、その外れる瞬間では、皮膚（施術部位）に密着している狭い領域にラジオ波の電流の電気エネルギーが集中することはない。エレクトロードが全面にわたって施術部位に密着している状態でなければ、ラジオ波の電流が流れないからである。
従って、本発明に係るハンドピースは、高周波出力レベルを上げたままで、施術部位からエレクトロードが外れても、その部位を火傷させないため、安全性が高いという効果がある。
【００１６】
また、オンオフ操作手段がプッシュスイッチを弾性部材を介して覆った状態でプッシュスイッチに連結されているため、痩身施術前でありながら偶然物がぶつかった等により、過って高周波出力レベルが上がったままの状態で、エレクトロードを施術部位に密着させてしまうときであっても、被施術者を火傷させない。かかる状態で、エレクトロードを施術部位に密着させたときは、弾性部材の伸張によるプッシュスイッチのオフ方向への付勢力により、オンオフ操作手段が押し上がったままの状態で、エレクトロードが全面にわたって施術部位に密着し、その後で、施術者の押し当て力で弾性部材が圧縮するとともに、プッシュスイッチをオン方向へ付勢し、プッシュスイッチがオンされるからである。
そのため、施術部位にエレクトロードを密着させる瞬間では、まだラジオ波の電流が流れておらず、その密着させる瞬間では、皮膚（施術部位）に密着している狭い領域にラジオ波の電流の電気エネルギーが集中することはない。エレクトロードが全面にわたって施術部位に密着している状態でなければ、ラジオ波の電流が流れないからである。
従って、本発明に係るハンドピースは、高周波出力レベルを上げたままで、施術部位にエレクトロードを密着させても、その部位を火傷させないため、安全性が高いという効果がある。
【００１７】
本発明に係るハンドピースは、弾性部材の上端が、プッシュスイッチの上端よりも高いと、オンオフ操作手段をプッシュスイッチのオフ方向へ付勢する付勢力が高まるため、安全性が高まるという効果がある。
本発明に係るハンドピースは、オンオフ操作手段が、ハンドピース本体を囲繞する有底円筒部からなるものであれば、施術者がハンドピースを握って押し当て力を加えるところがその有底円筒部となるから、作業がしやすいという効果がある。
【００１８】
上記構成を備えた痩身用ラジオ波温熱機に用いられる電極プレートは、オンオフ操作手段がプッシュスイッチを弾性部材を介して覆った状態でプッシュスイッチに連結されているため、高周波出力レベルが上がっている痩身施術中に被施術者が不意に動く等により、施術部位からプレートが外れる（つまり、腹部や背中から剥がれて落ちる）ときであっても、被施術者を火傷させない。高周波出力レベルが上がっている痩身施術中に施術部位からプレートが外れるときは、プレートが全面（被施術者の体は正確には曲面であるから、安全が確保される十分に広い面）にわたって施術部位に密着した状態で、弾性部材の伸張によるプッシュスイッチのオフ方向への付勢力により、オンオフ操作手段が押し上がり、プッシュスイッチがオフされ、その後で、施術部位からプレートが外れるからである。
そのため、施術部位からプレートが外れる瞬間では、既にラジオ波の電流が流れておらず、その外れる瞬間では、皮膚（施術部位）に密着している狭い領域にラジオ波の電流の電気エネルギーが集中することはない。プレートが全面にわたって施術部位に密着している状態でなければ、ラジオ波の電流が流れないからである。
従って、本発明に係る電極プレートは、高周波出力レベルを上げたままで、施術部位からプレートが外れても、その部位を火傷させないため、安全性が高いという効果がある。
【００１９】
また、オンオフ操作手段がプッシュスイッチを弾性部材を介して覆った状態でプッシュスイッチに連結されているため、痩身施術前でありながら偶然物がぶつかった等により、過って高周波出力レベルが上がったままの状態で、プレートを施術部位に密着させてしまうときであっても、被施術者を火傷させない。かかる状態で、プレートを施術部位に密着させてしまうときは、弾性部材の伸張によるプッシュスイッチのオフ方向への付勢力により、オンオフ操作手段が押し上がったままの状態で、プレートが全面にわたって施術部位に密着し、その後で、被施術者の体重で弾性部材が圧縮するとともに、プッシュスイッチをオン方向へ付勢し、プッシュスイッチがオンされるからである。
そのため、施術部位にプレートを密着させる瞬間では、まだラジオ波の電流が流れておらず、その密着させる瞬間では、皮膚（施術部位）に密着している狭い領域にラジオ波の電流の電気エネルギーが集中することはない。プレートが全面にわたって施術部位に密着している状態でなければ、ラジオ波の電流が流れないからである。
従って、本発明に係る電極プレートは、高周波出力レベルを上げたままで、施術部位にプレートを密着させても、その部位を火傷させないため、安全性が高いという効果がある。
【００２０】
本発明に係る電極プレートは、弾性部材の上端が、プッシュスイッチの上端よりも高いと、オンオフ操作手段をプッシュスイッチのオフ方向へ付勢する付勢力が高まるため、安全性が高まるという効果がある。
【００２１】
本発明に係る痩身用ラジオ波温熱機は、本発明に係るハンドピース及び／又は電極プレートを備えるため、上記と同様の効果がある。更に、本発明に係る痩身用ラジオ波温熱機は、前記プッシュスイッチのオンオフが当該痩身用ラジオ波温熱機の本体の運転状態に影響を与えないため、何らかの原因でハンドピースや電極プレートが施術部位から外れても被施術者を火傷させることなく安全に運転を再開できるという効果がある。
【発明を実施するための最良の形態】
【００２２】
以下に図面を参照して、本発明の一実施形態について詳細に説明する。
（ハンドピース）
まず、本発明の一実施形態に係るハンドピースについて説明する。
図１は、ハンドピース１０の外観斜視図であり、図２は、ハンドピース１０の分解斜視図である。これらの図に示すように、ハンドピース１０は、ハンドピース本体１１と、弾性部材１２と、オンオフ操作部材１３とを備える。
【００２３】
ハンドピース本体１１は、ラジオ波の電流を流すエレクトロード１４と、エレクトロード１４の端面の反対面側に取り付けられるプッシュスイッチ１５と、当該プッシュスイッチ１５やコネクタ１６を介してエレクトロード１４と痩身用ラジオ波温熱機５０（図５参照）とを導通可能に接続する導線１７とを備える。
エレクトロード１４は、金属製であり、施術部位に密着させることができるように、施術部位に密着させる端面が平ら又は緩やかに膨出した湾曲状である。エレクトロード１４は、導線１７と導通可能にプラスチック製のハンドピース本体１１に一体的に取り付けられている。
プッシュスイッチ１５は、押圧力を加えない状態では非導通状態であり、下向き（オン方向）に押圧力を加えると導通する構造である。プッシュスイッチ１５は、その押圧力が作用しない状態となって、弾性部材１２により上向き（オフ方向）に付勢されると非導通状態となる。
【００２４】
ハンドピース本体１１の反対面側であって、プッシュスイッチ１５の上部周囲には、溝部分１８が形成されている。プッシュスイッチ１５の上端部中央部には、ねじ山が形成された連結孔１５ａが形成されている。ハンドピース本体１１の側壁面には、導線１７を取り付けるとともに、これを保護するための蛇腹ホース２０を取り付けるためのねじ山が形成された連結孔１１ａが形成されている。
【００２５】
弾性部材１２は、コイルバネからなり、エレクトロード１４の反対面側であって、プッシュスイッチ１５の上部周囲の溝部分１８に配置されている。プッシュスイッチ１５の上部周囲であれば特に位置は限定されないが、溝部分１８に弾性部材１２を入れるようにすると、弾性部材１２がずれないように固定できるため好ましい。また、弾性部材１２は、その上端がプッシュスイッチ１５の上端よりも高い。これにより、オンオフ操作部材１３をプッシュスイッチ１５のオフ方向へ付勢する付勢力が高まるため、安全性が高まる。プッシュスイッチ１５が導通するまでにオンオフ操作部材１３を操作する距離が長くなるからである。
【００２６】
オンオフ操作部材１３は、プッシュスイッチ１５のオンオフを操作するために用いられる。オンオフ操作部材１３は、プッシュスイッチ１５を弾性部材１２を介して覆った状態で、プッシュスイッチ１５に連結されている。プッシュスイッチ１５との連結は、プッシュスイッチ１５の上端部に形成されている連結孔１５ａに、オンオフ操作部材１３の端面中央に設けられている連結孔１３ａを重ねて、これらをねじ１９で螺合することによってなされる。従って、連結孔１３ａ，１５ａには、ねじ山が形成されている。
また、オンオフ操作部材１３は、本来的に施術部位にエレクトロード１４を密着させるための把持部であり、ハンドピース本体１１を囲繞する有底円筒部からなる。そして、オンオフ操作部材１３の側壁面には、導線１７を通すとともにこれを保護するための蛇腹ホース２０を取り付けるための半円状の切欠部１３ｂが形成されている。
蛇腹ホース２０は、中空であり、ハンドピース本体１１及びコネクタ１６に連結される。蛇腹ホース２０は、プッシュスイッチ１５やコネクタ１６を介してエレクトロード１４と痩身用ラジオ波温熱機５０（図５参照）とを導通可能に接続する導線１７を収容して、これを保護する。
【００２７】
ハンドピース１０の組立は、導線１７を収容した蛇腹ホース２０をハンドピース本体１１及びコネクタ１６に取り付けた状態で、
（１）ハンドピース本体１１の反対面側であって、プッシュスイッチ１５の上部周囲に形成された溝部分１８にコイルバネからなる弾性部材１２を入れ又は嵌め込み、
（２）オンオフ操作部材１３を弾性部材１２を介してハンドピース本体１１に被せ、
（３）プッシュスイッチ１５の上端中央部に設けられている連結孔１５ａとオンオフ操作部材１３の端面中央に設けられている連結孔１３ａとを重ね合わせて、ねじ１９を螺合する、ことにより行うことができる。
【００２８】
（電極プレート）
次に、本発明の一実施形態に係る電極プレートについて説明する。
図３は、電極プレート３０の外観斜視図であり、図４は、電極プレート３０の分解斜視図である。これらの図に示すように、電極プレート３０は、電極プレート接続筐体３１と、弾性部材３２と、オンオフ操作部材３３とを備える。
【００２９】
電極プレート接続筐体３１は、ラジオ波の電流が流れるプレート３４と、プレート３４に取り付けられるプッシュスイッチ３５と、当該プッシュスイッチ３５やコネクタ３６を介してプレート３４と痩身用ラジオ波温熱機５０とを導通可能に接続する導線３７とを備える。
プレート３４は、平らな金属板であり、導線３７と導通可能にプラスチック製の電極プレート接続筐体３１に取り付けられている。
プッシュスイッチ３５は、押圧力を加えない状態では非導通状態であり、下向き（オン方向）に押圧力を加えると導通する構造である。プッシュスイッチ３５は、その押圧力が作用しない状態となって、弾性部材３２により上向き（オフ方向）に付勢されると非導通状態となる。
【００３０】
プッシュスイッチ３５の上部周囲には、溝部分３８が形成されている。プッシュスイッチ３５の上端部中央部には、ねじ山が形成された連結孔３５ａが形成されている。電極プレート接続筐体３１の側壁面には、導線３７を取り付けるとともに、これを保護するためのホース４０を取り付けるためのねじ山が形成された連結孔３１ａが形成されている。
【００３１】
弾性部材３２は、コイルバネからなり、プッシュスイッチ３５の上部周囲の溝部分３８に配置されている。プッシュスイッチ３５の上部周囲であれば特に位置は限定されないが、溝部分３８に弾性部材３２を入れるようにすると、弾性部材３２がずれないように固定できるため好ましい。また、弾性部材３２は、その上端がプッシュスイッチ３５の上端よりも高い。これにより、オンオフ操作部材３３をプッシュスイッチ３５のオフ方向へ付勢する付勢力が高まるため、安全性が高まる。プッシュスイッチ３５が導通するまでにオンオフ操作部材３３を操作する距離が長くなるからである。
【００３２】
オンオフ操作部材３３は、プッシュスイッチ３５のオンオフを操作するために用いられる。オンオフ操作部材３３は、プッシュスイッチ３５を弾性部材３２を介して覆った状態で、プッシュスイッチ３５に連結されている。オンオフ操作部材３３は、四角形の板状部材からなるが、多角形の板状部材、円・楕円形の板状部材でもよい。また、電極プレート接続筐体３１に被さる断面四角形、断面多角形、断面円・楕円形状の筒状部材でもよい。プッシュスイッチ３５との連結は、プッシュスイッチ３５の上端部に形成されている連結孔３５ａに、オンオフ操作部材３３の端面中央に設けられている連結孔３３ａを重ねて、これらをねじ３９で螺合することによってなされる。従って、連結孔３５ａ，３３ａにはねじ山が形成されている。そして、オンオフ操作部材３３の側壁面には、導線３７を通すとともにこれを保護するためのホース４０を取り付けるための半円状の切欠部３３ｂが形成されている。
ホース４０は、中空であり、電極プレート接続筐体３１及びコネクタ３６に連結される。ホース４０は、プッシュスイッチ３５やコネクタ３６を介してプレート３４と痩身用ラジオ波温熱機５０（図５参照）とを導通可能に接続する導線３７を収容して、これを保護する。
【００３３】
電極プレート３０の組立は、導線３７を収容したホース４０を電極プレート接続筐体３１及びコネクタ３６に取り付けた状態で、
（１）プレート３４に設けられたプッシュスイッチ３５の上部周囲に形成された溝部分３８にコイルバネからなる弾性部材３２を入れ又は嵌め込み、
（２）オンオフ操作部材３３を弾性部材３２を介してプッシュスイッチ３５に被せ、
（３）プッシュスイッチ３５の上端中央部に設けられている連結孔３５ａとオンオフ操作部材３３の端面中央に設けられている連結孔３３ａとを重ね合わせて、ねじ３９を螺合する、ことにより行うことができる。
【００３４】
（痩身用ラジオ波温熱機）
図５は、痩身用ラジオ波温熱機５０の操作パネル５１及びバックパネル５２を示した図である。
同図に示す痩身用ラジオ波温熱機５０は、例えば、業務用市販品のラジオ波温熱機であり、周波数０．３ＭＨｚ、動作環境５℃〜３５℃、湿度１０％ＲＨ〜７０％ＲＨ（但し、結露がないこと）、規格電圧／周波数ＡＣ：１Ｖ  ５０／６０Ｈｚ、出力電流最大３８９ｍＡ、最大消費電力約１６０Ｗ、寸法幅４５０×奥行き３６０×高さ１７５ｍｍ（本体）、重量１５ｋｇの定格・仕様のものである。
【００３５】
操作パネル５１各部の名称及び機能は、次の通りである。すなわち、ディスプレイＳ１は、施術の時間設定と残り時間を表示し、タイムダウンスイッチＳ２、タイムアップスイッチＳ３は、それぞれ、施術時間を１分ずつ減少又は１分ずつ増加させるための設定スイッチである。インジケーターＳ４，Ｓ６，Ｓ８は、施術時間がそれぞれ、１５分、２０分、３０分選択されたことを表示するものであり、選択スイッチＳ５，Ｓ７，Ｓ９は、施術時間としてそれぞれ、１５分、２０分、３０分を選択するためのスイッチである。
【００３６】
スタートインジケーターＳ１０は、ラジオ波電流を流す高周波出力が開始されたことを表示し、スタートスイッチＳ１１は、その高周波出力を開始させるためのスイッチである。一方、ストップインジケーターＳ１２は、ラジオ波電流を流す高周波出力が停止されたことを表示し、ストップスイッチＳ１３は、その高周波出力を停止させるためのスイッチである。
【００３７】
フェイスインジケーターＳ１４、ボディーインジケーターＳ１５は、それぞれ、フェイス部分、ボディー部分の高周波出力の出力状態を表示する目盛りであり、緑→黄色→赤色と三段階で表示する。フェイスインテンシティーＳ１６、ボディーインテンシティーＳ１７は、それぞれ、フェイス部分、ボディー部分の高周波出力を調節するためのダイアルスイッチである。
モードセレクターＳ１８は、ボディーのラジオ波痩身、フェイスのラジオ波小顔、青色ＬＥＤ（にきび、敏感肌）、赤ＬＥＤ（しみ、そばかす、皮膚再生、血行良くする）といったメニューを選択するためのダイアルスイッチである。
【００３８】
バックパネル５２各部の名称及び機能は、次の通りである。すなわち、ボディー用コネクタ差込口５３、フェイス用コネクタ差込口５４は、ボディーかフェイスかの施術部位に応じて、ハンドピース１０のコネクタ１６を連結させるための差込口である。プレート差込口５５は、電極プレート３０のコネクタ３６を連結させるための差込口である。放熱ファン５６は、内部の熱を逃がす装置であり、メインスイッチ５７は、メイン電源スイッチであり、電源コード差込口５８は、ＡＣコードの取り付け差込口である。
【００３９】
図６は、痩身用ラジオ波温熱機５０のブロック図を示す。同図に示すように、痩身用ラジオ波温熱機５０は、装置本体にディスプレイ５１・各種ボタン５２（具体的には上記のＳ１〜Ｓ１８参照）や、ＡＣ入力部（具体的には上記のメインスイッチ５７、電源コード差込口５８参照）を備えるほか、その内部に、ＭＰＵ６１（マイクロプロセッシングユニット）、制御部６２、整流回路６３、安全装置部６４を備える。ＭＰＵ６１は、メモリに記憶されたプログラム（詳細は本発明においては無関係であるため省略）を読み込み、当該プログラムの指示に従って入力装置や記憶装置からデータ（例えば、上記Ｓ１〜Ｓ１８のいずれかに示すスイッチで設定されたデータ）を受け取り、このデータに従い、あるいは、このデータを当該プログラム通りに演算・加工した上で、制御部６２に、高電圧を印加させる電圧制御信号や高周波を発振させる高周波制御信号を送る。
【００４０】
制御部６２は、ハンドピース１０及び電極プレート３０に接続されており、ＭＰＵ６１から送信される電圧・高周波制御信号に従ってラジオ波電流をハンドピース１０及び電極プレート３０に流す。施術中に身体（施術部位）に密着させていたエレクトロード１４やプレート３４が身体から外れても、その密着状態がなくなる前に、プッシュスイッチ１５，３５が弾性部材１２，３２によりオフ方向へ付勢され、電流が流れない状態になる。しかし、エレクトロード１４やプレート３４の全面を身体（施術部位）に密着させた上で、プッシュスイッチ１５，３５をオン方向へ押圧すれば、そのまま運転が再開される。このとき、エレクトロード１４やプレート３４のほぼ全面を施術部位に密着させてからプッシュスイッチ１５，３５を導通状態とさせるため、施術部位のある一点にエネルギーが集中することなく火傷をすることがなく非常に安全である。
【００４１】
ちなみに、プッシュスイッチ１５，３５の弾性部材１２，３２の伸縮によるオンオフは、痩身用ラジオ波温熱機５０に内蔵されたプログラム運転には、何ら影響を与えない。すなわち、施術中にプッシュスイッチ１５，３５のオンオフがあっても、痩身用ラジオ波温熱機５０本体での運転は続いており、よって、その運転の再開は、そのオンオフがなかったのと同じ状態での再開となる。
安全装置部６４は、ハンドピース１０や電極プレート３０等に断線その他の不具合が有る場合に、装置運転を停止させる信号をＭＰＵ６１に送る。
【００４２】
（痩身用ラジオ波温熱機を用いたハンドピース及び電極プレートの使用方法）
まず、ハンドピース１０のコネクタ１６をボディー用コネクタ差込口５３又はフェイス用コネクタ差込口５４に取り付けるとともに、電極プレートのコネクタ１６をプレート差込口５５に取り付ける。また、ＡＣコードを電源コード差込口５８に取り付ける。
【００４３】
痩身用ラジオ波温熱機５０を用いた痩身施術は、以下のようにして行う。
（１）ＡＣコードをコンセントに差し込む。
（２）ボディインテンシティーＳ１７又はフェイスインテンシティーＳ１６のダイアルをゼロ（パワーゼロ）にする。
（３）メインスイッチ５７をオンする。
（４）モードセレクターＳ１８で、ボディーラジオ波痩身、フェイスラジオ波小顔のいずれかを選択する。
（５）専用クリームを施術部位に塗る。
（６）プレート３４を被施術者の身体部分（施術部位、例えば、背中や腰部、胸部や腹部）に当たるように密着させる。
【００４４】
（７）ハンドピース１０のオンオフスイッチ操作部材１３が掌に当たるようにハンドピース１０を掴んで施術部位（プレート３４の反対側、例えば、胸部や腹部、背中や腰部）にエレクトロード１４全体を押し当てる。
この痩身施術前に、操作パネル５１に偶然物がぶつかった等により、過ってスタートスイッチＳ１１が勝手にオンし、ボディインテンシティーＳ１７又はフェイスインテンシティーＳ１６のダイアルが回り高周波出力レベルが上がったままの状態で、エレクトロード１４を被施術者の施術部位に押し当てても、ハンドピース１０は、オンオフ操作部材１３がプッシュスイッチ１５を弾性部材１２を介して覆った状態でプッシュスイッチ１５に連結されているため、被施術者は火傷を負わなくて済む。それは、次の仕組みによる。
【００４５】
痩身施術前に偶然が重なって誤って高周波出力がなされ、施術部位にエレクトロード１４が押し当てられたときは、まず、弾性部材１２のプッシュスイッチ１５のオフ方向への付勢力により、オンオフ操作部材１３が押し上がったままの状態（非導通状態）で、エレクトロード１４が全面にわたって施術部位に密着し、その後で、施術者の押し当て力で弾性部材１２が圧縮するとともに、プッシュスイッチ１５をオン方向へ付勢し、プッシュスイッチ１５がオンされる。そのため、施術部位にエレクトロード１４を押し当てて密着させる瞬間では、まだラジオ波の電流が流れておらず、その密着させる瞬間では、皮膚（施術部位）に密着している狭い領域にラジオ波の電流の電気エネルギーが集中することはない。換言すれば、エレクトロード１４が全面にわたって施術部位に密着している状態でなければ、ラジオ波の電流が流れない。
従って、ハンドピース１０は、偶然に痩身施術前に高周波出力がなされたままで、施術部位にエレクトロード１４を密着させても、その部位を火傷させないため、安全性が高い。
【００４６】
（８）選択スイッチＳ５，Ｓ７，Ｓ９で、施術時間を選択し、１分毎の調節は、タイムダウンスイッチＳ２、タイムアップスイッチＳ３で行う。
（９）スタートスイッチＳ１１を押し、ハンドピース１０のオンオフスイッチ操作部材１３を更に押す。これにより、弾性部材１２が圧縮して、プッシュスイッチ１５が導通し、高周波出力が開始可能な状態となる。
【００４７】
（１０）ボディインテンシティーＳ１７又はフェイスインテンシティーＳ１６のダイアルを徐々に上げていく。これにより、高周波出力が開始される。ダイアルは、適当なところであわせる。そして、所定時間、痩身施術を行う。
この痩身施術中に被施術者が不意に動く等により、施術部位からエレクトロード１４（又はプレート３４）が外れるときであっても、ハンドピース１０（又は電極プレート３０）は、オンオフ操作部材１３（又は３３）がプッシュスイッチ１５（又は３５）を弾性部材１２（又は３２）を介して覆った状態でプッシュスイッチ１５（又は３５）に連結されているため、被施術者は火傷を負わなくて済む。これは、次の仕組みによる。
【００４８】
痩身施術中に施術部位からエレクトロード１４（又はプレート３４）が外れるときは、まず、エレクトロード１４（又はプレート３４）が全面（又は安全性が確保される十分広い領域）にわたって施術部位に密着した状態で、弾性部材１２（又は３２）の伸張によるプッシュスイッチ１５（又は３５）のオフ方向への付勢力により、オンオフ操作部材１３（又は３３）が押し上がり、プッシュスイッチ１５（又は３５）がオフされ、その後で、施術部位からエレクトロード１４（又はプレート３４）が外れる。そのため、施術部位からエレクトロード１４（又はプレート３４）が外れる瞬間では、既にラジオ波の電流が流れておらず、その外れる瞬間では、皮膚（施術部位）に密着している狭い領域にラジオ波の電流の電気エネルギーが集中することはない。換言すれば、エレクトロード１４（又はプレート３４）が全面にわたって施術部位に密着している状態でなければ、ラジオ波の電流が流れない。
従って、ハンドピース１０（又は電極プレート３０）は、痩身施術中に、施術部位からエレクトロード１４（又はプレート３４）が外れても、その部位を火傷させないため、安全性が高い。
【００４９】
（１１）施術を終了させるときは、ボディインテンシティーＳ１７又はフェイスインテンシティーＳ１６のダイアルをゼロにする。これにより、高周波出力が停止される。
（１２）ストップスイッチＳ１３を押すとともに、ハンドピース１０のオンオフスイッチ操作部材１３の押し当て力を弱める。これにより、弾性部材１２が元に戻り、プッシュスイッチ１５が導通しなくなり、高周波出力を行えない状態となる。
（１３）ハンドピース１０のエレクトロード１４を被施術者の体から外す。
（１４）メインスイッチ５７をオフする。
【００５０】
痩身用ラジオ波温熱機５０、ハンドピース１０及び電極プレート３０は、以上の手順で使用されるが、ハンドピース１０及び電極プレート３０は、高周波の出力中であるか否かに拘わらず、被施術者を火傷させないため、非常に安全性が高い。安全性を高めるには、弾性部材１２の上端が、プッシュスイッチ１５の上端よりも高くするとよい。オンオフ操作部材１３をプッシュスイッチ１５のオフ方向へ付勢する付勢力が高まり、スイッチが切れやすくなるためである。バネ定数がより高い弾性部材１２を用いても安全性が高まる。
更に、ハンドピース１０や電極プレート３０は、オンオフ操作部材１３，３３が、エレクトロード１４又はプレート３４を押し当てる力によってプッシュスイッチ１５，３５を導通させ、その押し当て力がなくなるとプッシュスイッチ１５，３５が切れるものであれば、オンオフ操作部材１３，３３は、ハンドピース本体１１やプッシュスイッチ３５を囲繞する有底円筒部からなるものに限定されない。例えば、そのような有底円筒部の底だけを残した板状部材や、有底多角柱状筒部によるもの、指の位置を決めるための凹みを形成したものでもよい。
【００５１】
以上本発明の一実施形態について説明したが、本発明は、上記実施形態に何ら限定されるものではない。
【産業上の利用可能性】
【００５２】
本発明に係る痩身用ラジオ波温熱機に用いられるハンドピース及び電極プレート並びに痩身用ラジオ波温熱機は、美容サロンにおける施術の安全性を高めるものであるから、産業上有益である。
【図面の簡単な説明】
【００５３】
【図１】本発明の一実施形態に係るハンドピース１０の外観斜視図である。
【図２】本発明の一実施形態に係るハンドピース１０の分解斜視図である。
【図３】本発明の一実施形態に係る電極プレート３０の全体斜視図である。
【図４】本発明の一実施形態に係る電極プレート３０の分解斜視図である。
【図５】痩身用ラジオ波温熱機５０の操作パネル５１及びバックパネル５２を示した図である。
【図６】痩身用ラジオ波温熱機５０のブロック図を示した図である。
【符号の説明】
【００５４】
１０  ハンドピース、１１  ハンドピース本体
３０  電極プレート、３１  電極プレート接続筐体
１２，３２  弾性部材
１３，３３  オンオフ操作部材
１３ａ，３３ａ  オンオフ操作部材の連結孔
１４  エレクトロード、３４  プレート
１５，３５  プッシュスイッチ
１５ａ，３５ａ  プッシュスイッチの連結孔
１６，３６  コネクタ
１７，３７  導線
１８ ，３８ 溝部分
１９，３９  ねじ
【図１】
2010110394.tif 000003
【図２】
2010110394.tif 000004
【図３】
2010110394.tif 000005
【図４】
2010110394.tif 000006
【図５】
2010110394.tif 000007
【図６】
2010110394.tif 000008